(57)【特許請求の範囲】
【請求項１】
秤量皿に載る荷重の質量をデジタル表示する表示部と、風袋引きキーとを備える電子秤であって、
前記表示部の表示を制御する表示制御部と、
前記秤量皿に何も載せない状態でゼロ調整を指示するキーを押したときに前記表示部の表示がゼロにされる質量の範囲をゼロ調整範囲として記憶するメモリと、
を有し、
前記表示制御部は、質量の計測値が前記ゼロ調整範囲の上限以上の所定の値を超えて上昇したとき、前記風袋引きキーの操作を促す風袋引き指示表示を前記表示部に表示させる、
ことを特徴とする電子秤。
【請求項２】
請求項１に記載の電子秤であって、前記メモリには、前記風袋引きキーが操作されたときの風袋の質量が記憶され、前記表示制御部は、計測値が前記風袋の質量以下に低下したとき、前記風袋引き指示表示を前記表示部に表示させる、
ことを特徴とする電子秤。
【請求項３】
請求項２に記載の電子秤であって、前記表示制御部は、前記風袋引き指示表示の最中に計測値が前記風袋の質量を超えて上昇したとき、前記風袋引き指示表示を停止して、前記計測値から前記風袋の質量を減算した値を前記表示部に表示させる、
ことを特徴とする電子秤。
【請求項４】
請求項１から３のいずれかに記載の電子秤であって、前記風袋引きキーとは別に、前記表示部のゼロ調整を指示するゼロ調整キーを備える、
ことを特徴とする電子秤。
【請求項５】
請求項４に記載の電子秤であって、前記表示制御部は、質量の計測値が前記ゼロ調整範囲の範囲内にあるとき、前記ゼロ調整キーの操作を促すゼロ調整指示表示を前記表示部に表示させる、
ことを特徴とする電子秤。
【請求項６】
秤量皿に載る荷重の質量をデジタル表示する表示部と、風袋引きキーとを備える電子秤の前記表示部での表示方法であって、
前記秤量皿に何も載せない状態でゼロ調整を指示するキーを押したときに前記表示部の表示がゼロにされる質量の範囲をゼロ調整範囲としてメモリで記憶し、
前記ゼロ調整範囲の上限以上の所定の値を超えて上昇する質量の計測値が検出されたときに、前記風袋引きキーの操作を促す風袋引き指示表示を前記表示部に表示させる、
ことを特徴とする電子秤の表示方法。
【請求項７】
請求項６に記載の電子秤の表示方法であって、前記風袋引きキーが操作されたときの風袋の質量を前記メモリで記憶し、計測値が前記風袋の質量以下に低下したとき、前記風袋引き指示表示を前記表示部に表示させる、
ことを特徴とする電子秤の表示方法。
【請求項８】
請求項７に記載の電子秤の表示方法であって、前記風袋引き指示表示の最中に計測値が前記風袋の質量を超えて上昇したとき、前記風袋引き指示表示を停止して、前記計測値から前記風袋の質量を減算した値を前記表示部に表示させる、
ことを特徴とする電子秤の表示方法。
【請求項９】
請求項６に記載の電子秤の表示方法であって、質量の計測値が前記ゼロ調整範囲の範囲内にあるとき、ゼロ調整を指示するキーの操作を促すゼロ調整指示表示を前記表示部に表示させる、
ことを特徴とする電子秤の表示方法。
【発明の詳細な説明】
【技術分野】
【０００１】
本発明は、風袋引きキーやゼロ調整キーを備える電子秤と、その表示部の表示方法に関し、風袋引きキーやゼロ調整キーの押し忘れによる計量ミスを防止するものである。
【背景技術】
【０００２】
従来の電子秤は、下記特許文献１に記載されているように、秤量対象物の質量から風袋質量を差し引く風袋引き機能を実行するキーやゼロ調整機能を実行するキーを備えている。
ゼロ調整キーは、秤量皿に何も載せないときの表示値をゼロに合わせるために押される。また、風袋引きキーは、秤量皿に容器だけを載せた状態で押されて、容器の質量が記憶される。以後、試料を入れた容器を計量すると、その計量値から容器の質量が除かれた正味の試料の質量が表示値として表示される。
【先行技術文献】
【特許文献】
【０００３】
【特許文献１】特開２００５−１２８０１５号公報
【発明の概要】
【発明が解決しようとする課題】
【０００４】
しかし、計量作業の修練を積んでいない作業者は、風袋引きキーやゼロ調整キーを押し忘れる可能性がある。そうしたミスに因る誤計量は、特に薬品や化学分野、食品・飲料分野等では、品質の信頼度や安全性を損ねる重大な事態を引き起こす虞がある。【０００５】
本発明は、こうした事情を考慮して創案したものであり、風袋引きキーやゼロ調整キーの押し忘れを防ぐことができる電子秤を提供し、また、そのための秤表示部の表示方法を提供することを目的としている。
【課題を解決するための手段】
【０００６】
本発明は、秤量皿に載る荷重の質量をデジタル表示する表示部と、風袋引きキーとを備える電子秤であって、表示部の表示を制御する表示制御部と、秤量皿に何も載せない状態でゼロ調整を指示するキーを押したときに表示部の表示がゼロにされる質量の範囲をゼロ調整範囲として記憶するメモリと、を有し、表示制御部は、質量の計測値がゼロ調整範囲の上限以上の所定の値を超えて上昇したとき、風袋引きキーの操作を促す風袋引き指示表示を表示部に表示させる、ことを特徴とする。
表示部に現れる風袋引き指示の表示により、作業者の風袋引きキーの押し忘れを防ぐことができる。【０００７】
また、本発明の電子秤では、風袋引きキーが操作されたときの風袋の質量をメモリで記憶し、表示制御部は、計測値が風袋の質量以下に低下したときにも、風袋引き指示表示を表示部に表示させるようにしても良い。
風袋引きを設定した後、秤量皿上の容器を取り除くと、表示部にマイナスの値が表示され、作業者は違和感を覚えるが、この電子秤では、この場合、風袋引き指示表示が表示されるため、違和感が解消できる。【０００８】
また、本発明の電子秤では、この場合に、表示制御部は、風袋引き指示表示の最中に計測値が風袋の質量を超えて上昇すると、風袋引き指示表示を停止して、計測値から風袋の質量を減算した値を表示部に表示させるようにしても良い。。
同一容器に異なる量の試料を入れて繰り返し計測する際に、風袋引きキーを何回も押す必要がなくなる。【０００９】
また、本発明の電子秤では、風袋引きキーとは別に、表示部のゼロ調整を指示するゼロ調整キーを備えることが望ましい。
風袋引きキーとゼロ調整キーとは、それらが押されたときに表示部の表示がゼロになる点で共通しているが、ゼロ調整キーを押して表示がゼロになるのは計量値がゼロ調整範囲内に在る場合だけであり、その点で風袋引きキーと違っている。【００１０】
また、本発明の電子秤では、表示制御部は、質量の計測値がゼロ調整範囲の範囲内にあるとき、ゼロ調整キーの操作を促すゼロ調整指示表示を表示部に表示させる。
そのため、作業者のゼロ調整キーの押し忘れが防止できる。【００１１】
また、本発明は、秤量皿に載る荷重の質量をデジタル表示する表示部と、風袋引きキーとを備える電子秤の表示部での表示方法であって、秤量皿に何も載せない状態でゼロ調整を指示するキーを押したときに表示部の表示がゼロにされる質量の範囲をゼロ調整範囲としてメモリで記憶し、ゼロ調整範囲の上限以上の所定の値を超えて上昇する質量の計測値が検出されたときに、風袋引きキーの操作を促す風袋引き指示表示を表示部に表示させることを特徴とする。
風袋引き指示表示により、作業者の風袋引きキーの押し忘れを防ぐことができる。【００１２】
また、本発明の電子秤の表示方法では、風袋引きキーが操作されたときの風袋の質量をメモリで記憶し、計測値が風袋の質量以下に低下したとき、風袋引き指示表示を表示部に表示させるようにしても良い。
表示部にマイナスの値が表示される違和感を解消できる。【００１３】
また、本発明の電子秤の表示方法では、この場合に、風袋引き指示表示の最中に計測値が風袋の質量を超えて上昇すると、風袋引き指示表示を停止して、計測値から風袋の質量を減算した試料の正味の値を表示部に表示させるようにしても良い。
同一容器に異なる量の試料を入れて繰り返し計測する際に、風袋引きキーを何回も押す必要がなくなる。【００１４】
また、本発明の電子秤の表示方法では、質量の計測値がゼロ調整範囲の範囲内にあるとき、ゼロ調整を指示するキーの操作を促すゼロ調整指示表示を表示部に表示させるようにしても良い。
こうすることで、ゼロ調整キーの押し忘れが防止できる。
【発明の効果】
【００１５】
本発明により、計量時における風袋引きキーやゼロ調整キーの押し忘れを防止することができ、修練を積んでいない作業者が計量作業に従事する場合でも、計量ミスの発生が回避できる。
【図面の簡単な説明】
【００１６】
【図１】本発明の実施形態に係る電子秤の構成を模式的に示す図
【図２】設定キーで設定される機能を示す図
【図３】ゼロ調整防止機能を説明する図
【図４】ゼロ調整指示表示を示す図
【図５】ゼロ調整に伴う表示部の表示の推移を示す図
【図６】風袋引き忘れ防止機能を説明する図
【図７】風袋引き指示表示を示す図
【図８】風袋引き忘れ防止機能のモード１を説明する図
【図９】モード１に伴う表示部の表示の推移を示す図
【図１０】モード１を実行するＣＰＵの手順を示すフロー図
【図１１】風袋引き忘れ防止機能のモード２を説明する図
【図１２】モード２に伴う表示部の表示の推移を示す図
【図１３】モード２を実行するＣＰＵの手順を示すフロー図
【発明を実施するための形態】
【００１７】
図１は、本発明の実施形態に係る電子秤の構成を模式的に示している。
この電子秤は、秤量皿１０に載る被計量物（容器１１及び試料１２）の荷重に対応するアナログ量を出力する秤量部２０と、アナログ量をデジタル量に置き換えるＡ／Ｄ変換部２１と、秤量部２０で検出された重量を質量データに変換するとともに、その表示を制御するＣＰＵ３０と、表示を実行する表示部４０と、秤量皿１０に荷重が載る状態で表示部４０の表示をゼロにする際に操作される風袋引きキー３２と、秤量皿１０に何も載らない状態で表示部４０の表示をゼロにする際に操作されるゼロ調整キー３３と、秤の機能を選択する際に操作される設定キー３４と、計測処理に必要な各種のデータが記憶される記憶部５０とを備えている。
【００１８】
ＣＰＵ３０は、設定キー３４で選択された機能、並びに、風袋引きキー３２及びゼロ調整キー３３の操作に応じて表示部４０の表示を制御する表示制御部３１を有している。
この表示制御部３１は、ＣＰＵ３０がプログラムで規定された処理を実行することにより実現される。
また、記憶部５０には、設定キー３４で選択されたモードが設定モード５１として記憶され、風袋引きキー３２が操作されたときの風袋のデータが風袋データ記憶領域５２に記憶され、また、ゼロ調整キー３３の操作に応じて表示値がゼロにされる範囲（ゼロ調整範囲）を指定するデータがゼロ調整データ記憶領域５３に予め記憶されている。
【００１９】
この秤では、設定キー３４を操作して、図２に示すように、ゼロ調整忘れ防止機能の有効／無効を選択することができ、また、風袋引き忘れ防止機能のモード１／モード２／無効を選択することができる。
ゼロ調整忘れ防止機能が有効であると、図３に示すように、質量計測値が、ひょう量の１．５％と、ひょう量の−１．５％との間に在るとき、ゼロ調整キー３３の操作を促す表示（ゼロ調整指示表示）が表示部４０に表示される。具体的には、図４に示すように、「ＰＵＳＨ  ＺＥＲＯ」の表示が点滅する。
ひょう量の１．５％と−１．５％との間の範囲は、この秤のゼロ調整範囲であり、質量計測値がゼロ調整範囲内にあるときにゼロ調整キー３３が操作されると、表示制御部３１は、表示部４０の表示値をゼロにする。
【００２０】
図５は、このときの秤量皿１０上の荷重と表示部４０の表示との関係を示している。
（ａ）秤量皿１０の上に容器１１を載せると、表示部４０には容器１１の質量が表示される。
（ｂ）秤量皿１０上の容器１１を取り除くと、表示部４０に「ＰＵＳＨ  ＺＥＲＯ」が点滅する。
（ｃ）作業者がゼロ調整キー３３を押すと、表示部４０にゼロが表示される。
このように、「ＰＵＳＨ  ＺＥＲＯ」の点滅表示により、作業者のゼロ調整キー３３の押し忘れを防ぐことができる。
【００２１】
また、風袋引き忘れ防止機能のモード１が選択された場合は、図６に示すように、秤量皿１０の上に荷重が載り、質量計測値がゼロ調整範囲の上限（ひょう量の１．５％）を超えて上昇し始めると、風袋引きキー３２の操作を促す表示（風袋引き指示表示）が表示部４０に表示される。具体的には、図７に示すように、「ＰＵＳＨ  ＴＡＲＥ」の表示が点滅する。
【００２２】
秤量皿１０上の荷重質量がひょう量を超える場合は、表示部４０にエラーが表示される（図６）。荷重質量がひょう量を超えない場合は、図８に示すように、計測値が安定した時点で風袋引きキー３２を押すことにより、表示部４０の表示が「ＰＵＳＨ  ＴＡＲＥ」の点滅からゼロの表示に切り替わり、その時の質量計測値が風袋の質量として記憶部５０の風袋データ記憶領域５２に記録される。
その後の表示部４０には、秤量皿１０上の荷重の総量値から風袋の質量を減じた値が表示される（Ｎｅｔ表示）。
そのため、秤量皿１０上の荷重を全て取り除くと、表示部４０には風袋の質量がマイナスで表示される。
【００２３】
その後、再び秤量皿１０に荷重を載せると、質量計測値がゼロ調整範囲の上限を超えて上昇するため、表示部４０に「ＰＵＳＨ  ＴＡＲＥ」が表示される。計測値が安定した時点で風袋引きキー３２を押すと、表示部４０の表示が「ＰＵＳＨ  ＴＡＲＥ」の点滅からゼロの表示に切り替わり、その時の質量計測値が風袋質量として記憶部５０の風袋データ記憶領域５２に記録される。その後の表示部４０には、秤量皿１０上の荷重の総量値から風袋の質量を減じたＮｅｔ値が表示される。
【００２４】
図９は、モード１における、秤量皿１０上の荷重と表示部４０の表示との関係を示している。
（ａ）秤量皿１０に何も載っていない状態では、表示部４０にゼロが表示される。
（ｂ）秤量皿１０に容器１１を載せると、表示部４０に「ＰＵＳＨ  ＴＡＲＥ」が点滅する。
（ｃ）作業者が風袋引きキー３２を押すと、表示部４０にゼロが表示される。
（ｄ）秤量皿１０上の容器１１に試料１２を載せると、表示部４０には試料１２の正味の質量が表示される。
（ｅ）秤量皿１０上の試料１２を容器１１ごと取り除くと、表示部４０には容器１１の質量がマイナスで表示される。
（ｆ）秤量皿１０上に容器１１を再び載せると、表示部４０に「ＰＵＳＨ  ＴＡＲＥ」が点滅する。
このように、モード１では、「ＰＵＳＨ  ＴＡＲＥ」の点滅表示により、作業者の風袋引きキー３２の押し忘れを防ぐことができる。
【００２５】
図１０のフロー図は、ゼロ調整忘れ防止機能と風袋引き忘れ防止機能のモード１とが設定されたときの表示制御部３１の動作手順を示している。
なお、ここでは、秤量皿１０に載る荷重の総量がひょう量を超えないものとして動作手順を説明する。
秤量皿１０に何も載っていない状態での計測値を取得し（ステップ１）、その計測値が記憶部５０のゼロ調整データ記憶領域５３に記憶されたゼロ調整範囲に含まれる値であるか否かを識別する（ステップ２）。その計測値がゼロ調整範囲外の値であれば（ステップ２でＮｏ）、計量作業を終了して秤の調整作業が行われる。その計測値がゼロ調整範囲内の値であれば（ステップ２でＹｅｓ）、表示部４０に「ＰＵＳＨ  ＺＥＲＯ」を点滅表示する（ステップ３）。このとき、ゼロ調整キー３２が押されると（ステップ４でＹｅｓ）、表示部４０の表示を「ＰＵＳＨ  ＺＥＲＯ」の点滅表示からゼロの表示に切り替える（ステップ５）。
【００２６】
その後に計量値を取得すると（ステップ６でＹｅｓ）、計量値がゼロ調整範囲の上限を超えたか否かを識別し（ステップ７）、超えていなければ（ステップ７でＮｏ）、その計量値が示す質量の値を表示部４０に表示し（ステップ８）、ステップ６に移行する。
その計量値がゼロ調整範囲の上限を超えていれば（ステップ７でＹｅｓ）、表示部４０に「ＰＵＳＨ  ＴＡＲＥ」を点滅表示する（ステップ９）。このとき、風袋引きキー３２が押されると（ステップ１０でＹｅｓ）、その計量値が示す風袋の質量を記憶部５０の風袋データ記憶領域５２に保存し（ステップ１１）、表示部４０の表示を「ＰＵＳＨ  ＴＡＲＥ」の点滅表示からゼロの表示に切り替える（ステップ１２）。
【００２７】
その後に計量値を取得すると（ステップ１３でＹｅｓ）、その計量値がゼロ調整範囲に含まれる値か否かを識別し（ステップ１５）、ゼロ調整範囲外の値であれば（ステップ１５でＮｏ）、その計量値から風袋の質量を減じたＮｅｔ質量の値を表示部４０に表示し（ステップ１６）、次いで、ステップ１３に移行する。その計量値がゼロ調整範囲内の値であれば（ステップ１５でＹｅｓ）、ステップ３に移行する。
また、ステップ１３において、計量値の取得が無いまま、電源がオフにされた場合は（ステップ１４でＹｅｓ）、計量処理を終了する。
なお、秤量皿１０に載る荷重の総量がひょう量を超える可能性がある場合は、ステップ６及びステップ１３の次に、取得した計測値がひょう量を超えるか否かをチェックする手順を加え、計測値がひょう量を超えているとき、表示部４０にエラーを表示する。
【００２８】
ただ、モード１では、同一の容器１１を使い、その中に試料１２を入れて繰り返し計測するような場合、秤量皿１０に同一容器１１を載せる度に風袋引きキー３２を押す必要があり、作業負担が増える虞がある。また、秤量皿１０の試料１２を容器１１ごと取り除いたとき、表示部４０に表示されるマイナスの値が、修練を積んでいない作業者に不審に思われる可能性がある。
風袋引き忘れ防止機能のモード２は、こうした点を改善している。
【００２９】
図１１は、風袋引き忘れ防止機能のモード２が選択された場合を示している。
ここで、質量計測値がゼロ調整範囲の上限を超えて上昇し始めると「ＰＵＳＨ  ＴＡＲＥ」の表示が点滅し、風袋引きキー３２が押されると、表示部４０の表示が「ＰＵＳＨ  ＴＡＲＥ」の点滅からゼロの表示に切り替わり、その時の質量計測値が風袋の質量として記憶部５０の風袋データ記憶領域５２に記録され、その後にＮｅｔ表示が始まる点まではモード１と変わりがない。
【００３０】
モード２では、その後、計測値が風袋の質量以下に低下すると、表示部４０に「ＰＵＳＨ  ＴＡＲＥ」が表示される。（なお、モード２とゼロ調整忘れ防止機能とが共に設定されている場合は、「ＰＵＳＨ  ＺＥＲＯ」が優先して表示される。）
この「ＰＵＳＨ  ＴＡＲＥ」の表示の最中に、計測値が風袋の質量を超えると、表示部４０の表示がＮｅｔ表示に切り替わる。
従って、風袋引きキー３２は、一回目の操作を行えば、その後の操作を必要としない。
【００３１】
図１２は、モード２における、秤量皿１０上の荷重と表示部４０の表示との関係を示している。
（ａ）秤量皿１０に何も載っていない状態では、表示部４０にゼロが表示される。
（ｂ）秤量皿１０に容器１１を載せると、表示部４０に「ＰＵＳＨ  ＴＡＲＥ」が点滅する。
（ｃ）作業者が風袋引きキー３２を押すと、表示部４０にゼロが表示される。
（ｄ）秤量皿１０上の容器１１に試料１２を載せると、表示部４０には試料１２の正味の質量が表示される。
（ｅ）秤量皿１０上の試料１２を容器１１ごと取り除くと、表示部４０に「ＰＵＳＨ  ＴＡＲＥ」が点滅する。
（ｆ）秤量皿１０に異なる量の試料１１２を入れた容器１１を載せると、表示部４０には試料１１２の正味の質量が表示される。
このように、モード２では、「ＰＵＳＨ  ＴＡＲＥ」の点滅表示により、作業者の風袋引きキー３２の押し忘れを防ぐことができると共に、風袋引きキー３２を何回も押す手間を省くことができる。
【００３２】
図１３のフロー図は、ゼロ調整忘れ防止機能と風袋引き忘れ防止機能のモード２とが設定されたときの表示制御部３１の動作手順を示している。
このフローにおいて、ステップ１からステップ１４まではモード１の場合（図１０）と同じである。
ステップ１３において、計量値を取得すると、その計量値が風袋の質量以下であるか否かを識別し（ステップ２５）、風袋の質量以下でなければ（ステップ２５でＮｏ）、その計量値から風袋の質量を減じたＮｅｔ質量の値を表示部４０に表示し（ステップ２６）、次いで、ステップ１３に移行する。
また、その計量値が風袋の質量以下であれば（ステップ２５でＹｅｓ）、表示部４０に「ＰＵＳＨ  ＺＥＲＯ」を点滅させ（ステップ２７）、ステップ１３に移行する。
なお、風袋引き忘れ防止機能のモード２だけが設定されている場合は、ステップ２７において「ＰＵＳＨ  ＴＡＲＥ」の点滅表示が行われる。
【００３３】
本発明の電子秤は、管理者が設定キーを用いて予めモードを設定しておけば、修練を積んでいない作業者が操作する場合でも、計量時の風袋引きキーやゼロ調整キーの押し忘れを防ぐことができ、計量ミスの発生を回避することができる。
【００３４】
なお、ここでは、風袋引きキーとゼロ調整キーとを別に設けているが、一つのキーが両方の機能を兼ねても良い。
また、ここでは、電子秤にゼロ調整忘れ防止機能及び風袋引き忘れ防止機能の両方を持たせているが、電子秤は、風袋引き忘れ防止機能だけを持つものであっても良い。
また、ここでは、質量の計量値がゼロ調整範囲の上限を超えたときに「ＰＵＳＨ  ＴＡＲＥ」の点滅表示を行うこととしているが、計量値がゼロ調整範囲の上限以上の所定値を超えたときに、その表示を行うようにしても良い。
【産業上の利用可能性】
【００３５】
本発明の電子秤は、風袋引きキーやゼロ調整キーの押し忘れによる計量ミスを防ぐことができ、薬品や化学分野、食品・飲料分野を始めとして、各種分野で広く利用することができる。
【符号の説明】
【００３６】
１０    秤量皿
１１    容器
１２    試料
２０    秤量部
２１    Ａ／Ｄ変換部
３０    ＣＰＵ
３２    風袋引きキー
３３    ゼロ調整キー
３４    設定キー
４０    表示部
５０    記憶部
５１    設定モード
５２    風袋データ記憶領域
５３    ゼロ調整データ記憶領域
１１２  試料
【図１】
0006596156.tif 000002
【図２】
0006596156.tif 000003
【図３】
0006596156.tif 000004
【図４】
0006596156.tif 000005
【図５】
0006596156.tif 000006
【図６】
0006596156.tif 000007
【図７】
0006596156.tif 000008
【図８】
0006596156.tif 000009
【図９】
0006596156.tif 000010
【図１０】
0006596156.tif 000011
【図１１】
0006596156.tif 000012
【図１２】
0006596156.tif 000013
【図１３】
0006596156.tif 000014